(57)【要約】  本発明は、情報伝送方法、ネットワーク機器及び端末機器を提供する。この情報伝送方法は、端末機器が送信した上り信号を検出するステップＳ２１０と、この上り信号が検出された場合、この端末機器の情報に関連付けられている第１のリソースを介してこの端末機器に確認情報を送信するステップＳ２２０と、を含む。本発明に係る情報伝送方法、ネットワーク機器及び端末機器によれば、異なる端末機器の間のフィードバック情報の衝突を回避できる。
2019533929.tif 000002
【特許請求の範囲】
【請求項１】
端末機器が送信した上り信号を検出するステップと、
前記上り信号が検出された場合、前記端末機器の情報に関連付けられている第１のリソースを介して前記端末機器に確認情報を送信するステップと、を含む
ことを特徴とする情報伝送方法。
【請求項２】
前記上り信号は、スケジューリングなしの方式で送信される上り信号である
ことを特徴とする請求項１に記載の情報伝送方法。
【請求項３】
前記第１のリソースは、前記端末機器の識別情報により決定される
ことを特徴とする請求項１又は２に記載の情報伝送方法。
【請求項４】
前記第１のリソースは、前記端末機器の識別情報及び前記上り信号を伝送する開始リソースと、確認情報が事前設定されたリソースプールの初期リソースと、のうちの少なくとも１項により決定される
ことを特徴とする請求項１〜３のいずれか１項に記載の情報伝送方法。
【請求項５】
前記第１のリソースは、
ｐ＝Ｋ＋（ｍ＋ＩＤ）ｍｏｄ（Ｌ）
により決定され、
ここで、ｐは、前記第１のリソースのポインタ情報を示し、Ｋは、前記確認情報が事前設定されたリソースプールの初期リソースの情報を示し、ｍは、前記上り信号を伝送する開始リソースの情報を示し、ＩＤは、前記端末機器の識別情報を示し、Ｌは、前記確認情報が事前設定されたリソースプールの大きさを示す
ことを特徴とする請求項４に記載の情報伝送方法。
【請求項６】
前記端末機器の識別情報は、前記端末機器の無線ネットワークテンポラリ識別子ＲＮＴＩ又は事前設定された識別子を含む
ことを特徴とする請求項３〜５のいずれか１項に記載の情報伝送方法。
【請求項７】
前記第１のリソースを介して前記端末機器にフィードバック確認情報を送信するステップは、
前記第１のリソースを介して前記端末機器に第１のビットを送信するステップを含み、
ここで、前記第１のビットの値は前記確認情報を指示する
ことを特徴とする請求項１〜６のいずれか１項に記載の情報伝送方法。
【請求項８】
前記第１のビットの値は１である
ことを特徴とする請求項７に記載の情報伝送方法。
【請求項９】
前記第１のリソースは第１のシーケンスであり、前記第１のシーケンスの取り得る値は前記端末機器の情報に関連付けられており、
第１のリソースを介して前記端末機器にフィードバック確認情報を送信するステップは、
前記端末機器に前記第１のシーケンスを送信するステップを含み、
ここで、前記第１のシーケンスは前記確認情報を指示する
ことを特徴とする請求項１〜６のいずれか１項に記載の情報伝送方法。
【請求項１０】
前記上り信号が検出されなかった場合、前記確認情報を送信しない
ことを特徴とする請求項１〜９のいずれか１項に記載の情報伝送方法。
【請求項１１】
前記上り信号が検出されなかった場合、前記第１のリソースを介して前記端末機器に否認情報を送信するステップをさらに含む
ことを特徴とする請求項１〜９のいずれか１項に記載の情報伝送方法。
【請求項１２】
前記第１のリソースを介して前記端末機器に否認情報を送信するステップは、
前記第１のリソースを介して前記端末機器に第２のビットを送信するステップを含み、
ここで、前記第２のビットの値は前記否認情報を指示する
ことを特徴とする請求項１１に記載の情報伝送方法。
【請求項１３】
前記第２のビットの値は０である
ことを特徴とする請求項１２に記載の情報伝送方法。
【請求項１４】
ネットワーク機器に上り信号を送信するステップと、
端末機器の情報に関連付けられている第１のリソースを介して、前記上り信号に対する前記ネットワーク機器からのフィードバック情報を検出するステップと、を含む
ことを特徴とする情報伝送方法。
【請求項１５】
前記ネットワーク機器に上り信号を送信するステップは、
スケジューリングなしの方式で、前記端末機器により決定されたリソースで前記上り信号を送信するステップを含む
ことを特徴とする請求項１４に記載の情報伝送方法。
【請求項１６】
前記第１のリソースは、前記端末機器の識別情報により決定される
ことを特徴とする請求項１４又は１５に記載の情報伝送方法。
【請求項１７】
前記第１のリソースは、前記端末機器の識別情報及び前記上り信号を伝送する開始リソースと、確認情報が事前設定されたリソースプールの初期リソースと、のうちの少なくとも１項により決定される
ことを特徴とする請求項１４〜１６のいずれか１項に記載の情報伝送方法。
【請求項１８】
前記第１のリソースは、
ｐ＝Ｋ＋（ｍ＋ＩＤ）ｍｏｄ（Ｌ）
により決定され、
ここで、ｐは、前記第１のリソースのポインタ情報を示し、Ｋは、前記確認情報が事前設定されたリソースプールの初期リソースの情報を示し、ｍは、前記上り信号を伝送する開始リソースの情報を示し、ＩＤは、前記端末機器の識別情報を示し、Ｌは、前記確認情報が事前設定されたリソースプールの大きさを示す
ことを特徴とする請求項１７に記載の情報伝送方法。
【請求項１９】
前記端末機器の識別情報は、前記端末機器の無線ネットワークテンポラリ識別子ＲＮＴＩ又は事前設定された識別子を含む
ことを特徴とする請求項１６〜１８のいずれか１項に記載の情報伝送方法。
【請求項２０】
前記第１のリソースを介して前記ネットワーク機器が送信した第１のビットが検出された場合、前記上り信号の受信に成功したと決定するステップをさらに含む
ことを特徴とする請求項１４〜１９のいずれか１項に記載の情報伝送方法。
【請求項２１】
前記第１のビットの値は１である
ことを特徴とする請求項２０に記載の情報伝送方法。
【請求項２２】
前記第１のリソースは第１のシーケンスであり、前記第１のシーケンスの取り得る値は前記端末機器の情報に関連付けられており、
前記ネットワーク機器が送信した前記第１のシーケンスが検出された場合、前記上り信号の受信に成功したと決定する、又は、
前記ネットワーク機器が送信した前記第１のシーケンスが検出されなかった場合、前記上り信号の受信に失敗したと決定するステップをさらに含む
ことを特徴とする請求項１４〜１９のいずれか１項に記載の情報伝送方法。
【請求項２３】
前記第１のリソースを介して前記フィードバック情報が検出されなかった場合、前記上り信号の受信に失敗したと決定するステップをさらに含む
ことを特徴とする請求項１４〜２２のいずれか１項に記載の情報伝送方法。
【請求項２４】
前記第１のリソースを介して前記ネットワーク機器が送信した第２のビットが検出された場合、前記上り信号の受信に失敗したと決定するステップをさらに含む
ことを特徴とする請求項１４〜２２のいずれか１項に記載の情報伝送方法。
【請求項２５】
前記第２のビットの値は０である
ことを特徴とする請求項２４に記載の情報伝送方法。
【請求項２６】
端末機器が送信した上り信号を検出する処理モジュールと、
前記上り信号が検出された場合、前記端末機器の情報に関連付けられている第１のリソースを介して前記端末機器に確認情報を送信する送受信モジュールと、を備える
ことを特徴とするネットワーク機器。
【請求項２７】
前記上り信号は、スケジューリングなしの方式で送信される上り信号である
ことを特徴とする請求項２６に記載のネットワーク機器。
【請求項２８】
前記第１のリソースは、前記端末機器の識別情報により決定される
ことを特徴とする請求項２６又は２７に記載のネットワーク機器。
【請求項２９】
前記第１のリソースは、前記端末機器の識別情報及び前記上り信号を伝送する開始リソースと、確認情報が事前設定されたリソースプールの初期リソースと、のうちの少なくとも１項により決定される
ことを特徴とする請求項２６〜２８のいずれか１項に記載のネットワーク機器。
【請求項３０】
前記第１のリソースは、
ｐ＝Ｋ＋（ｍ＋ＩＤ）ｍｏｄ（Ｌ）
により決定され、
ここで、ｐは、前記第１のリソースのポインタ情報を示し、Ｋは、前記確認情報が事前設定されたリソースプールの初期リソースの情報を示し、ｍは、前記上り信号を伝送する開始リソースの情報を示し、ＩＤは、前記端末機器の識別情報を示し、Ｌは、前記確認情報が事前設定されたリソースプールの大きさを示す
ことを特徴とする請求項２９に記載のネットワーク機器。
【請求項３１】
前記端末機器の識別情報は、前記端末機器の無線ネットワークテンポラリ識別子ＲＮＴＩ又は事前設定された識別子を含む
ことを特徴とする請求項２８〜３０のいずれか１項に記載のネットワーク機器。
【請求項３２】
前記送受信モジュールは、具体的に、
前記第１のリソースを介して前記端末機器に第１のビットを送信し、
ここで、前記第１のビットの値は前記確認情報を指示する
ことを特徴とする請求項２６〜３１のいずれか１項に記載のネットワーク機器。
【請求項３３】
前記第１のビットの値は１である
ことを特徴とする請求項３２に記載のネットワーク機器。
【請求項３４】
前記第１のリソースは第１のシーケンスであり、前記第１のシーケンスの取り得る値は前記端末機器の情報に関連付けられており、
前記送受信モジュールは、具体的に、
前記端末機器に前記第１のシーケンスを送信し、
ここで、前記第１のシーケンスは前記確認情報を指示する
ことを特徴とする請求項２６〜３１のいずれか１項に記載のネットワーク機器。
【請求項３５】
前記送受信モジュールは、また、
前記上り信号が検出されなかった場合、前記確認情報を送信しない
ことを特徴とする請求項２６〜３４のいずれか１項に記載のネットワーク機器。
【請求項３６】
前記送受信モジュールは、また、
前記上り信号が検出されなかった場合、前記第１のリソースを介して前記端末機器に否認情報を送信する
ことを特徴とする請求項２６〜３４のいずれか１項に記載のネットワーク機器。
【請求項３７】
前記送受信モジュールは、具体的に、
前記第１のリソースを介して前記端末機器に第２のビットを送信し、
ここで、前記第２のビットの値は前記否認情報を指示する
ことを特徴とする請求項３６に記載のネットワーク機器。
【請求項３８】
前記第２のビットの値は０である
ことを特徴とする請求項３７に記載のネットワーク機器。
【請求項３９】
ネットワーク機器に上り信号を送信する送受信モジュールと、
前記端末機器の情報に関連付けられている第１のリソースを介して、前記ネットワーク機器の前記上り信号に対するフィードバック情報を検出する処理モジュールと、を備える
ことを特徴とする記載の端末機器。
【請求項４０】
前記送受信モジュールは、具体的に、
スケジューリングなしの方式で、前記端末機器により決定されたリソースで前記上り信号を送信する
ことを特徴とする請求項３９に記載の端末機器。
【請求項４１】
前記第１のリソースは、前記端末機器の識別情報により決定される
ことを特徴とする請求項３９又は４０に記載の端末機器。
【請求項４２】
前記第１のリソースは、前記端末機器の識別情報及び前記上り信号を伝送する開始リソースと、確認情報が事前設定されたリソースプールの初期リソースと、のうちの少なくとも１項により決定される
ことを特徴とする請求項３９〜４１のいずれか１項に記載の端末機器。
【請求項４３】
前記第１のリソースは、
ｐ＝Ｋ＋（ｍ＋ＩＤ）ｍｏｄ（Ｌ）
により決定され、
ここで、ｐは、前記第１のリソースのポインタ情報を示し、Ｋは、前記確認情報が事前設定されたリソースプールの初期リソースの情報を示し、ｍは、前記上り信号を伝送する開始リソースの情報を示し、ＩＤは、前記端末機器の識別情報を示し、Ｌは、前記確認情報が事前設定されたリソースプールの大きさを示す
ことを特徴とする請求項４２に記載の端末機器。
【請求項４４】
前記端末機器の識別情報は、前記端末機器の無線ネットワークテンポラリ識別子ＲＮＴＩ又は事前設定された識別子を含む
ことを特徴とする請求項４１〜４３のいずれか１項に記載の端末機器。
【請求項４５】
前記処理モジュールは、また、
前記第１のリソースを介して前記ネットワーク機器が送信した第１のビットが検出された場合、前記上り信号の受信に成功したと決定する
ことを特徴とする請求項３９〜４４のいずれか１項に記載の端末機器。
【請求項４６】
前記第１のビットの値は１である
ことを特徴とする請求項４５に記載の端末機器。
【請求項４７】
前記第１のリソースは第１のシーケンスであり、前記第１のシーケンスの取り得る値は前記端末機器の情報に関連付けられており、
前記処理モジュールは、また、
前記ネットワーク機器が送信した前記第１のシーケンスが検出された場合、前記上り信号の受信に成功したと決定する、又は、
前記ネットワーク機器が送信した前記第１のシーケンスが検出されなかった場合、前記上り信号の受信に失敗したと決定する
ことを特徴とする請求項３９〜４４のいずれか１項に記載の端末機器。
【請求項４８】
前記処理モジュールは、また、
前記第１のリソースを介して前記フィードバック情報が検出されなかった場合、前記上り信号の受信に失敗したと決定する
ことを特徴とする請求項３９〜４７のいずれか１項に記載の端末機器。
【請求項４９】
前記処理モジュールは、また、
前記第１のリソースを介して前記ネットワーク機器が送信した第２のビットが検出された場合、前記上り信号の受信に失敗したと決定する
ことを特徴とする請求項３９〜４７のいずれか１項に記載の端末機器。
【請求項５０】
前記第２のビットの値は０である
ことを特徴とする請求項４９に記載の端末機器。
【発明の詳細な説明】
【技術分野】
【０００１】
本発明は、通信分野に関し、より詳細には、情報伝送方法、ネットワーク機器及び端末機器に関する。
【背景技術】
【０００２】
ロングタームエボリューション（Ｌｏｎｇ  Ｔｅｒｍ  Ｅｖｏｌｕｔｉｏｎ，ＬＴＥ）上り伝送の確認／否認（ＡＣＫ／ＮＡＣＫ）信号（フィードバック情報と総称する）は、下り物理ハイブリッド自動再送指示チャネル（Ｐｈｙｓｉｃａｌ  Ｈｙｂｒｉｄ  ＡＲＱ  Ｉｎｄｉｃａｔｏｒ  Ｃｈａｎｎｅｌ，ＰＨＩＣＨ）により端末機器に伝送される。端末機器は、ＮＡＣＫが受信された場合、ネットワーク機器により上りスケジューリング命令を送信する必要がなく、非自己適応上り再送を行うことができる。ネットワーク機器はまた、上りスケジューリング命令を送信して、端末機器が自己適応上り再送を行うように通知できる。
【０００３】
５Ｇシステムの設計において、１つの新たな機能が導入されており、即ち、端末機器は、ネットワーク機器により上りスケジューリング命令を送信することなしに、直接にスケジューリングなしの上りアクセスを行うことができる。その目的は、上りスケジューリングリソースを節約するとともに、遅延を低減するためである。しかしながら、端末機器が送信した上りアクセスデータパケットは、ネットワーク機器によりスケジューリングして協調されないため、衝突が発生しやすく、さらにアクセス性能に影響する面で不利である。もう１つは、ネットワーク機器が端末機器の上りアクセス信号を受信したことを如何に端末機器に通知するかの問題であり、これにより、端末機器は、再送を行うか否かを決定できる。
【０００４】
ＬＴＥにおいて、端末機器に割り当てられるＰＨＩＣＨチャネルリソースは、その上り伝送の初期リソースブロックにより決定され、２つの端末が同一の初期リソースブロックを使用して上りマルチユーザ多入力多出力（Ｍｕｌｔｉｐｌｅ−Ｉｎｐｕｔ  Ｍｕｌｔｉｐｌｅ−Ｏｕｔｐｕｔ，ＭＩＭＯ）の伝送を行う場合、そのうちの１つの端末機器のＰＨＩＣＨリソースは、上りスケジューリング命令内の１つのオフセットにより調整され、これにより、２つの端末機器のＰＨＩＣＨリソースの衝突を回避できる。スケジューリングなしの上り伝送では、上りスケジューリング命令がないため、端末機器に上記のようなオフセットを通知できず、また、スケジューリングがないため、各端末機器がどのリソースブロックを初期リソースとして上り信号伝送を行うかを決定できず、異なる端末機器の間のフィードバック情報の衝突が発生しやすい。
【発明の概要】
【発明が解決しようとする課題】
【０００５】
本発明の実施例は、異なる端末機器の間のフィードバック情報の衝突を回避できる情報伝送方法、ネットワーク機器及び端末機器を提供する。
【課題を解決するための手段】
【０００６】
第１の態様によれば、情報伝送方法が提供され、この方法は、
端末機器が送信した上り信号を検出するステップと、
この上り信号が検出された場合、この端末機器の情報に関連付けられている第１のリソースを介してこの端末機器に確認情報を送信するステップと、を含む。
【０００７】
本発明の実施例に係る情報伝送方法は、端末機器の情報に関連付けられている第１のリソースでこの端末機器に確認情報を送信することで、異なる端末機器の間のフィードバック情報の衝突を回避できる。
【０００８】
幾つかの可能な実現形態では、この上り信号は、スケジューリングなしの方式で送信される上り信号である。
【０００９】
幾つかの可能な実現形態では、この第１のリソースは、この端末機器の識別情報により決定される。
【００１０】
幾つかの可能な実現形態では、この第１のリソースは、この端末機器の識別情報及びこの上り信号を伝送する開始リソースと、確認情報が事前設定されたリソースプールの初期リソースと、のうちの少なくとも１項により決定される。
【００１１】
幾つかの可能な実現形態では、この第１のリソースは、
ｐ＝Ｋ＋（ｍ＋ＩＤ）ｍｏｄ（Ｌ）により決定され、
ここで、ｐは、この第１のリソースのポインタ情報を示し、Ｋは、この確認情報が事前設定されたリソースプールの初期リソースの情報を示し、ｍは、この上り信号を伝送する開始リソースの情報を示し、ＩＤは、この端末機器の識別情報を示し、Ｌは、この確認情報が事前設定されたリソースプールの大きさを示す。
【００１２】
幾つかの可能な実現形態では、この端末機器の識別情報は、この端末機器の無線ネットワークテンポラリ識別子ＲＮＴＩ又は事前設定された識別子を含む。
【００１３】
幾つかの可能な実現形態では、この第１のリソースを介してこの端末機器にフィードバック確認情報を送信するステップは、
この第１のリソースを介してこの端末機器に第１のビットを送信するステップを含み、この第１のビットの値はこの確認情報を指示する。
【００１４】
幾つかの可能な実現形態では、この第１のビットの値は１である。
【００１５】
幾つかの可能な実現形態では、この第１のリソースは第１のシーケンスであり、この第１のシーケンスの取り得る値はこの端末機器の情報に関連付けられており、
第１のリソースを介してこの端末機器にフィードバック確認情報を送信するステップは、
この端末機器にこの第１のシーケンスを送信するステップを含み、
ここで、この第１のシーケンスはこの確認情報を指示する。
【００１６】
幾つかの可能な実現形態では、この上り信号が検出されなかった場合、この確認情報を送信しない。
【００１７】
幾つかの可能な実現形態では、この方法は、
この上り信号が検出されなかった場合、この第１のリソースを介してこの端末機器に否認情報を送信するステップをさらに含む。
【００１８】
幾つかの可能な実現形態では、この第１のリソースを介してこの端末機器に否認情報を送信するステップは、
この第１のリソースを介してこの端末機器に第２のビットを送信するステップを含み、
ここで、この第２のビットの値はこの否認情報を指示する。
【００１９】
幾つかの可能な実現形態では、この第２のビットの値は０である。
【００２０】
本発明の実施例に係る情報伝送方法は、スケジューリングなしの上り信号アクセスに対して、異なる端末機器の間のフィードバック情報の衝突を回避し、上り伝送結果を適時に端末機器にフィードバックでき、さらにシステム性能を確保できる。
【００２１】
第２の態様によれば、情報伝送方法が提供され、この方法は、
ネットワーク機器に上り信号を送信するステップと、
端末機器の情報に関連付けられている第１のリソースを介して、この上り信号に対するこのネットワーク機器からのフィードバック情報を検出するステップと、を含む。
【００２２】
本発明の実施例に係る情報伝送方法は、異なる端末機器の間のフィードバック情報の衝突を回避できる。
【００２３】
幾つかの可能な実現形態では、ネットワーク機器に上り信号を送信するステップは、
スケジューリングなしの方式で、この端末機器により決定されたリソースでこの上り信号を送信するステップを含む。
【００２４】
幾つかの可能な実現形態では、この第１のリソースは、この端末機器の識別情報により決定される。
【００２５】
幾つかの可能な実現形態では、この第１のリソースは、この端末機器の識別情報及びこの上り信号を伝送する開始リソースと、確認情報が事前設定されたリソースプールの初期リソースと、のうちの少なくとも１項により決定される。
【００２６】
幾つかの可能な実現形態では、この第１のリソースは、
ｐ＝Ｋ＋（ｍ＋ＩＤ）ｍｏｄ（Ｌ）により決定され、
ここで、ｐは、この第１のリソースのポインタ情報を示し、Ｋは、この確認情報が事前設定されたリソースプールの初期リソースの情報を示し、ｍは、この上り信号を伝送する開始リソースの情報を示し、ＩＤは、この端末機器の識別情報を示し、Ｌは、この確認情報が事前設定されたリソースプールの大きさを示す。
【００２７】
幾つかの可能な実現形態では、この端末機器の識別情報は、この端末機器の無線ネットワークテンポラリ識別子ＲＮＴＩ又は事前設定された識別子を含む。
【００２８】
幾つかの可能な実現形態では、この方法は、
この第１のリソースを介してこのネットワーク機器が送信した第１のビットが検出された場合、この上り信号の受信に成功したと決定するステップをさらに含む。
【００２９】
幾つかの可能な実現形態では、この第１のビットの値は１である。
【００３０】
幾つかの可能な実現形態では、この第１のリソースは第１のシーケンスであり、この第１のシーケンスの取り得る値はこの端末機器の情報に関連付けられており、
この方法は、このネットワーク機器が送信したこの第１のシーケンスが検出された場合、この上り信号の受信に成功したと決定するステップをさらに含む。
【００３１】
幾つかの可能な実現形態では、この方法は、
この第１のリソースを介してこのフィードバック情報が検出されなかった場合、この上り信号の受信に失敗したと決定するステップをさらに含む。
【００３２】
幾つかの可能な実現形態では、この方法は、
この第１のリソースを介してこのネットワーク機器が送信した第２のビットが検出された場合、この上り信号の受信に失敗したと決定するステップをさらに含む。
【００３３】
幾つかの可能な実現形態では、この第２のビットの値は０である。
【００３４】
幾つかの可能な実現形態では、この方法は、
このネットワーク機器が送信したこの第１のシーケンスが検出されなかった場合、この上り信号の受信に失敗したと決定するステップをさらに含む。
【００３５】
本発明の実施例に係る情報伝送方法は、スケジューリングなしの上り信号アクセスに対して、異なる端末機器の間のフィードバック情報の衝突を回避でき、さらにシステム性能を確保できる。
【００３６】
第３の態様によれば、第１の態様又は第１の態様の任意の可能な実現形態に係る方法を実行するモジュールを備えるネットワーク機器が提供される。
【００３７】
第４の態様によれば、第２の態様又は第２の態様の任意の可能な実現形態に係る方法を実行するモジュールを備える端末機器が提供される。
【００３８】
第５の態様によれば、ネットワーク機器が提供される。このネットワーク機器は、プロセッサー、メモリ及び通信インターフェースを備える。プロセッサーはメモリ及び通信インターフェースと接続される。メモリは命令を記憶するために使用され、プロセッサーはこの命令を実行するために使用され、通信インターフェースはプロセッサーの制御で他のネットワーク要素と通信するために使用される。このプロセッサーによりこのメモリに記憶された命令を実行するとき、この実行により、このプロセッサーが第１の態様又は第１の態様の任意の可能な実現形態に係る方法を実行する。
【００３９】
第６の態様によれば、端末機器が提供される。この端末機器は、プロセッサー、メモリ及び通信インターフェースを備える。プロセッサーはメモリ及び通信インターフェースと接続される。メモリは命令を記憶するために使用され、プロセッサーはこの命令を実行するために使用され、通信インターフェースはプロセッサーの制御で他のネットワーク要素と通信するために使用される。このプロセッサーによりこのメモリに記憶された命令を実行するとき、この実行により、このプロセッサーが第２の態様又は第２の態様の任意の可能な実現形態に係る方法を実行する。
【００４０】
第７の態様によれば、コンピュータプログラムを記憶するためのコンピュータ可読媒体が提供され、このコンピュータプログラムには、第１の態様又は第１の態様の任意の可能な実現形態に係る方法を実行するための命令が含まれる。
【００４１】
第８の態様によれば、コンピュータプログラムを記憶するためのコンピュータ可読媒体が提供され、このコンピュータプログラムには、第２の態様又は第２の態様の任意の可能な実現形態に係る方法を実行するための命令が含まれる。
【図面の簡単な説明】
【００４２】
以下、本発明の実施例に係る技術手段をさらに明瞭に説明するために、本発明の実施例に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図１】本発明の実施例に応用される通信システムの模式図である。
【図２】本発明の一実施例に係る情報伝送方法の概略フローチャートである。
【図３】本発明の別の実施例に係る情報伝送方法の概略フローチャートである。
【図４】本発明の一実施例に係るネットワーク機器の概略ブロック図である。
【図５】本発明の一実施例に係る端末機器の概略ブロック図である。
【図６】本発明の別の実施例に係るネットワーク機器の概略構造図である。
【図７】本発明の別の実施例に係る端末機器の概略構造図である。
【発明を実施するための形態】
【００４３】
以下は、本発明の実施例に係る図面を参考しながら、本発明の実施例に係る技術手段をより明確且つ完全に説明し、説明されている実施例が、本発明の実施例の一部に過ぎず、全てではないことは明らかである。本発明の実施例に基づいて、当業者が創造的な労働を付与しない前提で得られた他の実施例の全ては、本発明の保護範囲に属する。
【００４４】
図１は、本発明の実施例に応用される通信システムの模式図である。図１に示すように、ネットワーク１００は、ネットワーク機器１０２と、端末機器１０４、１０６、１０８、１１０、１１２及び１１４と、を含んでもよく、ここで、ネットワーク機器と端末機器とは無線で接続される。図１では、ネットワークが１つのネットワーク機器を含む場合のみを例として説明しているが、本発明の実施例はこれに限定されず、例えば、ネットワークはまた、より多いネットワーク機器を含んでもよく、同様に、ネットワークもより多い端末機器を含んでもよく、且つ、ネットワーク機器はまた、他の機器を含んでもよいことが理解されるべきである。
【００４５】
本発明は、端末機器に関連して各実施例を説明している。端末機器はまた、ユーザ機器（Ｕｓｅｒ  Ｅｑｕｉｐｍｅｎｔ，ＵＥ）、アクセス端末、ユーザユニット、ユーザ局、移動局、モバイルステーション、遠隔局、遠隔端末、モバイル機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ、単に「ＰＤＡ」と称する）、無線通信機能のあるハンドヘルド機器、計算機器又は無線モデムに接続する他の処理機器、車載機器、ウェアラブル機器及び未来５Ｇネットワークにおける端末機器又は未来進化の公衆陸上移動体ネットワーク（Ｐｕｂｌｉｃ  Ｌａｎｄ  Ｍｏｂｉｌｅ  Ｎｅｔｗｏｒｋ，ＰＬＭＮ）ネットワークにおける端末機器等であってもよい。
【００４６】
本発明は、ネットワーク機器に関連して各実施例を説明している。ネットワーク機器は、端末機器と通信するために使用される機器であってもよく、このネットワーク機器は、ＧＳＭ又はＣＤＭＡにおける基地局（Ｂａｓｅ  Ｔｒａｎｓｃｅｉｖｅｒ  Ｓｔａｔｉｏｎ，ＢＴＳ）であってもよいが、ＷＣＤＭＡシステムにおける基地局（ＮｏｄｅＢ，ＮＢ）であってもよく、また、ＬＴＥシステムにおける進化型基地局（Ｅｖｏｌｕｔｉｏｎａｌ  Ｎｏｄｅ  Ｂ，ｅＮＢ又はｅＮｏｄｅＢ）であってもよいが、クラウド無線アクセスネットワーク（Ｃｌｏｕｄ  Ｒａｄｉｏ  Ａｃｃｅｓｓ  Ｎｅｔｗｏｒｋ，ＣＲＡＮ）シナリオでのワイヤレスコントローラであってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよい。
【００４７】
本発明の実施例では、用語「リソース」は、情報伝送のために使用されるリソースを表し、周波数領域、時間領域、コード領域、シーケンス等のリソースを含んでもよいが、本発明は、これについて限定をしない。このリソースを識別する情報は、位置、ポインタ、ビット、番号等の情報を含んでもよいが、本発明は、これについても限定をしない。
【００４８】
図２は、本発明の実施例に係る情報伝送方法２００の概略フローチャートである。この方法２００は、ネットワーク機器により実行され、例えば、図１に係るネットワーク機器１０２により実行される。図２に示すように、この方法２００は、下記のステップを含む。
【００４９】
Ｓ２１０：端末機器が送信した上り信号を検出する。
【００５０】
Ｓ２２０：この上り信号が検出された場合、この端末機器の情報に関連付けられている第１のリソースを介してこの端末機器に確認情報を送信する。
【００５１】
本発明の実施例では、確認情報を送信するために使用される第１のリソースは、端末機器の情報に関連付けられており、これにより、異なる端末機器に関して、確認情報を送信するために使用される第１のリソースが異なるため、それらに送信される確認情報が衝突しない。
【００５２】
したがって、本発明の実施例に係る情報伝送方法は、端末機器の情報に関連付けられている第１のリソースでこの端末機器に確認情報を送信することで、異なる端末機器の間のフィードバック情報の衝突を回避できる。
【００５３】
選択的に、本発明の一実施例では、この上り信号は、スケジューリングなしの方式で送信される上り信号である。
【００５４】
スケジューリングなしの方式で、端末機器は、この端末機器により決定されたリソースでこの上り信号を送信する。即ち、上り信号を送信するために使用されるリソースは端末機器により自主的に選択されてもよい。
【００５５】
本発明の実施例では、この第１のリソースがこの端末機器の情報に関連付けられる方式は、任意の方式であってもよく、本発明は、これについて限定をしない。また、この端末機器の情報は、この端末機器が他の端末機器から区別される任意の情報であってもよく、本発明は、これについても限定をしない。
【００５６】
選択的に、本発明の一実施例では、この第１のリソースは、この端末機器の識別情報により決定される。
【００５７】
例えば、この第１のリソースを指示するポインタは、この端末機器の識別情報に直接に関連付けられてもよく、例えば、この端末機器の識別子の値であってもよいが、又はこの端末機器の識別子の値の関数であってもよい。
【００５８】
選択的に、この端末機器の識別情報は、この端末機器の無線ネットワークテンポラリ識別子（Ｒａｄｉｏ  Ｎｅｔｗｏｒｋ  Ｔｅｍｐｏｒｙ  Ｉｄｅｎｔｉｔｙ，ＲＮＴＩ）又は事前設定された識別子であってもよい。選択的に、この事前設定された識別子は、ネットワーク機器によりこの端末機器に対して設定してもよい。
【００５９】
選択的に、本発明の一実施例では、この第１のリソースは、この端末機器の識別情報及びこの上り信号を伝送する開始リソースと、確認情報が事前設定されたリソースプールの初期リソースと、のうちの少なくとも１項により決定される。
【００６０】
即ち、この第１のリソースは、この端末機器の識別情報及びこの上り信号を伝送する開始リソースにより決定され、又は、この第１のリソースは、この端末機器の識別情報及び確認情報が事前設定されたリソースプールの初期リソースにより決定され、又は、この第１のリソースは、この端末機器の識別情報、この上り信号を伝送する開始リソース及び確認情報が事前設定されたリソースプールの初期リソースにより決定される。
【００６１】
例えば、この第１のリソースを指示するポインタは、上記の関連要因に直接に関連付けられてもよく、例えば、上記の関連要因の関数であってもよい
選択的に、一例として、この第１のリソースは、
ｐ＝Ｋ＋（ｍ＋ＩＤ）ｍｏｄ（Ｌ）        （１）
により決定されてもよく、
ここで、ｐは、この第１のリソースのポインタ情報を示し、Ｋは、この確認情報が事前設定されたリソースプールの初期リソースの情報を示し、ｍは、この上り信号を伝送する開始リソースの情報を示し、ＩＤは、この端末機器の識別情報を示し、Ｌは、この確認情報が事前設定されたリソースプールの大きさを示す。
【００６２】
上記の式（１）は単なる例に過ぎず、その様々な変形又は変換も本発明の範囲内に含まれることが理解されるべきである。
【００６３】
選択的に、本発明の一実施例では、ネットワーク機器は、この第１のリソースを介してこの端末機器に第１のビットを送信でき、この第１のビットの値はこの確認情報を指示する。
【００６４】
例えば、この第１のビットの値は１であってもよい。
【００６５】
具体的に、ネットワーク機器により上り信号が検出された場合、この第１のリソースを介して第１のビットを送信でき、例えば、「１」を送信でき、確認を表し、即ち受信に成功したことを表す。
【００６６】
選択的に、この上り信号が検出されなかった場合、この確認情報を送信せず、例えば、この第１のビットを送信しない。
【００６７】
相応に、端末機器は、この第１のリソースを介してこの第１のビットが検出された場合、例えば、「１」が検出された場合、この上り信号の受信に成功したと決定し、フィードバック情報が検出されなかった場合、この上り信号の受信に失敗したと決定する。
【００６８】
選択的に、本発明の一実施例では、この第１のリソースは第１のシーケンスであり、この第１のシーケンスの取り得る値はこの端末機器の情報に関連付けられており、
ネットワーク機器は、この端末機器にこの第１のシーケンスを送信でき、この第１のシーケンスはこの確認情報を指示する。
【００６９】
具体的に、異なる端末機器のシーケンスの取り得る値が異なるため、これにより、端末機器は、それぞれのシーケンスを検出することにより、確認情報を取得できる。
【００７０】
ネットワーク機器により上り信号が検出された場合、この第１のシーケンスを送信し、確認したことを表し、即ち受信に成功したことを表す。
【００７１】
この上り信号が検出されなかった場合、この第１のシーケンスを送信しない。
【００７２】
相応に、端末機器は、この第１のシーケンスが検出された場合、この上り信号の受信に成功したと決定し、この第１のシーケンスが検出されなかった場合、この上り信号の受信に失敗したと決定する。
【００７３】
前述した実施例では、上り信号が検出されなかった場合、フィードバック情報を送信しない。選択的に、上り信号が検出されなかった場合、否認情報を送信してもよい。
【００７４】
選択的に、本発明の一実施例では、この上り信号が検出されなかった場合、ネットワーク機器は、この第１のリソースを介してこの端末機器に否認情報を送信できる。
【００７５】
即ち、この上り信号が検出された場合、ネットワーク機器は、この第１のリソースを介してこの端末機器に確認情報を送信し、この上り信号が検出されなかった場合、ネットワーク機器は、この第１のリソースを介してこの端末機器に否認情報を送信する。
【００７６】
選択的に、本発明の一実施例では、ネットワーク機器は、この第１のリソースを介してこの端末機器に第２のビットを送信でき、この第２のビットの値はこの否認情報を指示する。
【００７７】
例えば、この第２のビットの値は０であってもよい。
【００７８】
具体的に、ネットワーク機器により上り信号が検出された場合、この第１のリソースを介して第１のビットを送信でき、例えば、「１」を送信でき、確認を表し、即ち受信に成功したことを表し、ネットワーク機器により上り信号が検出されなかった場合、この第１のリソースを介して第２のビットを送信でき、例えば、「０」を送信でき、否認を表し、即ち受信に失敗したことを表す。
【００７９】
相応に、端末機器は、この第１のリソースを介してこの第１のビットが検出された場合、例えば、「１」が検出された場合、この上り信号の受信に成功したと決定し、端末機器は、この第１のリソースを介してこの第２のビットが検出された場合、例えば、「０」が検出された場合、この上り信号の受信に失敗したと決定する。
【００８０】
本発明の実施例に係る情報伝送方法は、スケジューリングなしの上り信号アクセスに対して、異なる端末機器の間のフィードバック情報の衝突を回避し、上り伝送結果を適時に端末機器にフィードバックでき、さらにシステム性能を確保できる。
【００８１】
以上、ネットワーク機器側から本発明の実施例に係る情報伝送方法を説明しており、以下は、端末機器側から本発明の実施例に係る情報伝送方法を説明する。
【００８２】
図３は、本発明の実施例に係る情報伝送方法３００の概略フローチャートである。この方法３００は、端末機器により実行され、例えば、図１に係る端末機器により実行される。図３に示すように、この方法３００は、下記のステップを含む。
【００８３】
Ｓ３１０：ネットワーク機器に上り信号を送信する。
【００８４】
Ｓ３２０：端末機器の情報に関連付けられている第１のリソースを介して、この上り信号に対するこのネットワーク機器からのフィードバック情報を検出する。
【００８５】
本発明の実施例では、フィードバック情報を送信するために使用される第１のリソースは端末機器の情報に関連付けられており、これにより、異なる端末機器に関して、フィードバック情報を送信するために使用される第１のリソースが異なるため、それらに送信される確認情報が衝突しない。
【００８６】
したがって、本発明の実施例に係る情報伝送方法は、異なる端末機器の間のフィードバック情報の衝突を回避できる。
【００８７】
選択的に、本発明の一実施例では、端末機器は、スケジューリングなしの方式で、この端末機器により決定されたリソースでこの上り信号を送信できる。
【００８８】
スケジューリングなしの方式で、端末機器はこの端末機器により決定されたリソースでこの上り信号を送信する。即ち、上り信号を送信するために使用されるリソースは端末機器により自主的に選択されてもよい。
【００８９】
選択的に、本発明の一実施例では、この第１のリソースは、この端末機器の識別情報により決定される。
【００９０】
選択的に、本発明の一実施例では、この第１のリソースは、この端末機器の識別情報及びこの上り信号を伝送する開始リソースと、確認情報が事前設定されたリソースプールの初期リソースと、のうちの少なくとも１項により決定される。
【００９１】
選択的に、本発明の一実施例では、この第１のリソースは、
ｐ＝Ｋ＋（ｍ＋ＩＤ）ｍｏｄ（Ｌ）により決定され、
ここで、ｐは、この第１のリソースのポインタ情報を示し、Ｋは、この確認情報が事前設定されたリソースプールの初期リソースの情報を示し、ｍは、この上り信号を伝送する開始リソースの情報を示し、ＩＤは、この端末機器の識別情報を示し、Ｌは、この確認情報が事前設定されたリソースプールの大きさを示す。
【００９２】
選択的に、本発明の一実施例では、この端末機器の識別情報は、この端末機器の無線ネットワークテンポラリ識別子ＲＮＴＩ又は事前設定された識別子を含む。
【００９３】
選択的に、本発明の一実施例では、端末機器は、この第１のリソースを介してこのネットワーク機器が送信した第１のビットを検出した場合、この上り信号の受信に成功したと決定する。
【００９４】
選択的に、この第１のビットの値は１である。
【００９５】
選択的に、本発明の一実施例では、この第１のリソースは第１のシーケンスであり、この第１のシーケンスの取り得る値はこの端末機器の情報に関連付けられており、
端末機器はこのネットワーク機器が送信したこの第１のシーケンスを検出した場合、この上り信号の受信に成功したと決定する。
【００９６】
選択的に、本発明の一実施例では、端末機器は、この第１のリソースを介してこのフィードバック情報が検出されなかった場合、この上り信号の受信に失敗したと決定する。
【００９７】
例えば、端末機器は、この第１のリソースを介してこの第１のビットが検出された場合、例えば、「１」が検出された場合、この上り信号の受信に成功したと決定し、フィードバック情報が検出されなかった場合、この上り信号の受信に失敗したと決定する。
【００９８】
又は、端末機器は、この第１のシーケンスが検出された場合、この上り信号の受信に成功したと決定し、この第１のシーケンスが検出されなかった場合、この上り信号の受信に失敗したと決定する。
【００９９】
選択的に、本発明の一実施例では、端末機器は、この第１のリソースを介してこのネットワーク機器が送信した第２のビットを検出した場合、この上り信号の受信に失敗したと決定する。
【０１００】
選択的に、この第２のビットの値は０である。
【０１０１】
例えば、端末機器は、この第１のリソースを介してこの第１のビットが検出された場合、例えば、「１」が検出された場合、この上り信号の受信に成功したと決定し、端末機器は、この第１のリソースを介してこの第２のビットが検出された場合、例えば、「０」が検出された場合、この上り信号の受信に失敗したと決定する。
【０１０２】
本発明の実施例に係る情報伝送方法は、スケジューリングなしの上り信号アクセスに対して、異なる端末機器の間のフィードバック情報の衝突を回避でき、さらにシステム性能を確保できる。
【０１０３】
本発明の実施例では、ネットワーク機器側で説明されたネットワーク機器と端末機器とのインタラクション及び関連特性、機能等は、端末機器側の説明に対応しており、簡潔にするために、ここで詳細な説明を省略することが理解されるべきである。
【０１０４】
本発明の各実施例では、上記の各フローの番号の大きさは、実行する前後順序を意味するものではなく、各フローの実行順序は、その機能及び内部論理により決定されるべきであり、本発明の実施例に係る実施フローに対していずれかの限定を構成しないことが理解されるべきである。
【０１０５】
以上、本発明の実施例に係る情報伝送方法を詳細に説明しており、以下は、本発明の実施例に係るネットワーク機器及び端末機器を説明する。本発明の実施例に係るネットワーク機器及び端末機器は、前述した本発明の実施例に係る様々な方法を実行でき、即ち、下記の様々な機器の具体的な動作フローに関しては、前述した方法の実施例に係る対応するフローを参照できることが理解されるべきである。
【０１０６】
図４は、本発明の実施例に係るネットワーク機器４００の概略ブロック図である。図４に示すように、このネットワーク機器４００は、下記のモジュールを備える。
【０１０７】
処理モジュール４１０は、端末機器が送信した上り信号を検出する。
【０１０８】
送受信モジュール４２０は、この上り信号が検出された場合、この端末機器の情報に関連付けられている第１のリソースを介してこの端末機器に確認情報を送信する。
【０１０９】
本発明の実施例に係るネットワーク機器は、端末機器の情報に関連付けられている第１のリソースでこの端末機器に確認情報を送信することで、異なる端末機器の間のフィードバック情報の衝突を回避できる。
【０１１０】
選択的に、本発明の一実施例では、この上り信号は、スケジューリングなしの方式で送信される上り信号である。
【０１１１】
選択的に、本発明の一実施例では、この第１のリソースは、この端末機器の識別情報により決定される。
【０１１２】
選択的に、本発明の一実施例では、この第１のリソースは、この端末機器の識別情報及びこの上り信号を伝送する開始リソースと、確認情報が事前設定されたリソースプールの初期リソースと、のうちの少なくとも１項により決定される。
【０１１３】
選択的に、本発明の一実施例では、この第１のリソースは、
ｐ＝Ｋ＋（ｍ＋ＩＤ）ｍｏｄ（Ｌ）により決定され、
ここで、ｐは、この第１のリソースのポインタ情報を示し、Ｋは、この確認情報が事前設定されたリソースプールの初期リソースの情報を示し、ｍは、この上り信号を伝送する開始リソースの情報を示し、ＩＤは、この端末機器の識別情報を示し、Ｌは、この確認情報が事前設定されたリソースプールの大きさを示す。
【０１１４】
選択的に、本発明の一実施例では、この端末機器の識別情報は、この端末機器の無線ネットワークテンポラリ識別子ＲＮＴＩ又は事前設定された識別子を含む。
【０１１５】
選択的に、本発明の一実施例では、この送受信モジュール４２０は、具体的に、
この第１のリソースを介してこの端末機器に第１のビットを送信し、ここで、この第１のビットの値はこの確認情報を指示する。
【０１１６】
選択的に、本発明の一実施例では、この第１のビットの値は１である。
【０１１７】
選択的に、本発明の一実施例では、この第１のリソースは第１のシーケンスであり、この第１のシーケンスの取り得る値はこの端末機器の情報に関連付けられており、
この送受信モジュール４２０は、具体的に、
この端末機器にこの第１のシーケンスを送信し、この第１のシーケンスはこの確認情報を指示する。
【０１１８】
選択的に、本発明の一実施例では、この送受信モジュール４２０は、また、
この上り信号が検出されなかった場合、この確認情報を送信しない。
【０１１９】
選択的に、本発明の一実施例では、この送受信モジュール４２０は、また、
この上り信号が検出されなかった場合、この第１のリソースを介してこの端末機器に否認情報を送信する。
【０１２０】
選択的に、本発明の一実施例では、この送受信モジュール４２０は、具体的に、
この第１のリソースを介してこの端末機器に第２のビットを送信し、ここで、この第２のビットの値はこの否認情報を指示する。
【０１２１】
選択的に、本発明の一実施例では、この第２のビットの値は０である。
【０１２２】
本発明の実施例に係るネットワーク機器は、スケジューリングなしの上り信号アクセスに対して、異なる端末機器の間のフィードバック情報の衝突を回避し、上り伝送結果を適時に端末機器にフィードバックでき、さらにシステム性能を確保できる。
【０１２３】
本発明の実施例に係るネットワーク機器４００は、本発明の実施例に係る情報伝送方法におけるネットワーク機器に対応でき、また、ネットワーク機器４００における各モジュールの上記の及び他の操作及び／又は機能のそれぞれは、前述した各方法の対応するフローを実現するために使用され、簡潔にするために、ここで詳細な説明を省略する。
【０１２４】
図５は、本発明の実施例に係る端末機器５００の概略ブロック図である。図５に示すように、この端末機器５００は、下記のモジュールを備える。
【０１２５】
送受信モジュール５１０は、ネットワーク機器に上り信号を送信する。
【０１２６】
処理モジュール５２０は、この端末機器の情報に関連付けられている第１のリソースを介して、この上り信号に対するこのネットワーク機器からのフィードバック情報を検出する。
【０１２７】
本発明の実施例に係る端末機器は、上記の技術手段により、異なる端末機器の間のフィードバック情報の衝突を回避できる。
【０１２８】
選択的に、本発明の一実施例では、この送受信モジュール５１０は、具体的に、
スケジューリングなしの方式で、この端末機器により決定されたリソースでこの上り信号を送信する。
【０１２９】
選択的に、本発明の一実施例では、この第１のリソースは、この端末機器の識別情報により決定される。
【０１３０】
選択的に、本発明の一実施例では、この第１のリソースは、この端末機器の識別情報及びこの上り信号を伝送する開始リソースと、確認情報が事前設定されたリソースプールの初期リソースと、のうちの少なくとも１項により決定される。
【０１３１】
選択的に、本発明の一実施例では、この第１のリソースは、
ｐ＝Ｋ＋（ｍ＋ＩＤ）ｍｏｄ（Ｌ）により決定され、
ここで、ｐは、この第１のリソースのポインタ情報を示し、Ｋは、この確認情報が事前設定されたリソースプールの初期リソースの情報を示し、ｍは、この上り信号を伝送する開始リソースの情報を示し、ＩＤは、この端末機器の識別情報を示し、Ｌは、この確認情報が事前設定されたリソースプールの大きさを示す。
【０１３２】
選択的に、本発明の一実施例では、この端末機器の識別情報は、この端末機器の無線ネットワークテンポラリ識別子ＲＮＴＩ又は事前設定された識別子を含む。
【０１３３】
選択的に、本発明の一実施例では、この処理モジュール５２０は、また、
この第１のリソースを介してこのネットワーク機器が送信した第１のビットが検出された場合、この上り信号の受信に成功したと決定する。
【０１３４】
選択的に、本発明の一実施例では、この第１のビットの値は１である。
【０１３５】
選択的に、本発明の一実施例では、この第１のリソースは第１のシーケンスであり、この第１のシーケンスの取り得る値はこの端末機器の情報に関連付けられており、
この処理モジュール５２０は、また、
このネットワーク機器が送信したこの第１のシーケンスが検出された場合、この上り信号の受信に成功したと決定する、又は、このネットワーク機器が送信したこの第１のシーケンスが検出されなかった場合、この上り信号の受信に失敗したと決定する。
【０１３６】
選択的に、本発明の一実施例では、この処理モジュール５２０は、また、
この第１のリソースを介してこのフィードバック情報が検出されなかった場合、この上り信号の受信に失敗したと決定する。
【０１３７】
選択的に、本発明の一実施例では、この処理モジュール５２０は、また、
この第１のリソースを介してこのネットワーク機器が送信した第２のビットが検出された場合、この上り信号の受信に失敗したと決定する。
【０１３８】
選択的に、本発明の一実施例では、この第２のビットの値は０である。
【０１３９】
本発明の実施例に係る端末機器は、スケジューリングなしの上り信号アクセスに対して、異なる端末機器の間のフィードバック情報の衝突を回避でき、さらにシステム性能を確保できる。
【０１４０】
本発明の実施例に係る端末機器５００は、本発明の実施例に係る情報伝送方法における端末機器に対応でき、また、端末機器５００における各モジュールの上記の及び他の操作及び／又は機能のそれぞれは、前述した各方法の対応するフローを実現するために使用され、簡潔にするために、ここで詳細な説明を省略する。
【０１４１】
図６は、本発明の別の実施例に提供されたネットワーク機器の構造を示しており、この機器は、少なくとも１つのプロセッサー６０２（例えばＣＰＵ）と、少なくとも１つのネットワークインターフェース６０５又は他の通信インターフェースと、メモリ６０６と、これらのコンポーネントの間の接続通信を実現するための少なくとも１つの通信バス６０３と、を備える。プロセッサー６０２は、メモリ６０６に記憶された実行可能なモジュールを実行するために使用され、例えば、コンピュータプログラムを実行するために使用される。メモリ６０６は、高速ランダムアクセスメモリ（ＲＡＭ：Ｒａｎｄｏｍ  Ａｃｃｅｓｓ  Ｍｅｍｏｒｙ）を含んでもよいが、不揮発性メモリ（ｎｏｎ−ｖｏｌａｔｉｌｅ  ｍｅｍｏｒｙ）をさらに含んでもよく、例えば、少なくとも１つの磁気ディスクメモリを含んでもよい。少なくとも１つのネットワークインターフェース６０５（有線又は無線であってもよい）を介して少なくとも１つの他のネットワーク要素との通信接続を実現する。
【０１４２】
幾つかの実施形態では、メモリ６０６にプログラム６０６１が記憶されており、プロセッサー６０２はプログラム６０６１を実行することにより、前述した本発明の各実施例に係る方法を実行する。
【０１４３】
図７は、本発明の別の実施例に提供されたＭＭＥの構造を示しており、このＭＭＥは、少なくとも１つのプロセッサー７０２（例えばＣＰＵ）と、少なくとも１つのネットワークインターフェース７０５又は他の通信インターフェースと、メモリ７０６と、これらのコンポーネントの間の接続通信を実現するための少なくとも１つの通信バス７０３と、を備える。プロセッサー７０２は、メモリ７０６に記憶された実行可能なモジュールを実行するために使用され、例えば、コンピュータプログラムを実行するために使用される。メモリ７０６は、高速ランダムアクセスメモリ（ＲＡＭ：Ｒａｎｄｏｍ  Ａｃｃｅｓｓ  Ｍｅｍｏｒｙ）を含んでもよいが、不揮発性メモリ（ｎｏｎ−ｖｏｌａｔｉｌｅ  ｍｅｍｏｒｙ）をさらに含んでもよく、例えば、少なくとも１つの磁気ディスクメモリを含んでもよい。少なくとも１つのネットワークインターフェース７０５（有線又は無線であってもよい）を介して少なくとも１つの他のネットワーク要素との通信接続を実現する。
【０１４４】
幾つかの実施形態では、メモリ７０６にプログラム７０６１が記憶されており、プロセッサー７０２はプログラム７０６１を実行することにより、前述した本発明の各実施例に係る方法を実行する。
【０１４５】
本発明の実施例に係る具体的な例は、当業者が本発明の実施例をよりよく理解するようにさせるためのものにすぎず、本発明の実施例の範囲を限定するものではないことが理解されるべきである。
【０１４６】
本発明の実施例では、用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【０１４７】
当業者であれば、本明細書に開示された実施例に関連して説明された各例のユニット及びアルゴリズムステップが、電子ハードウェア、コンピュータソフトウェア、又は両者の組み合わせで実現でき、ハードウェア及びソフトウェアの互換性を明確に説明するために、上記の説明において機能によって各例の構成及びステップを一般的に説明していることが認識される。これらの機能がハードウェアで実行されるかソフトウェアで実行されるかは、技術手段の特定の応用及び設計上の制約条件によって異なる。当業者であれば、特定の応用ごとに異なる方法を使用して説明された機能を実現できるが、このような実現が本発明の範囲を超えると考慮されるべきではない。
【０１４８】
当業者であれば、説明の便宜及び簡潔さのために、上述のシステム、装置及びユニットの具体的な作業プロセスは、前述の方法の実施例における対応するプロセスを参照することができ、ここで詳細な説明を省略することを理解することができる。
【０１４９】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。また、示された又は解説された相互間の結合又は直接的な結合又は通信接続は、幾つかのインターフェイス、装置又はユニットによる間接的な結合又は通信接続であってもよく、電気的、機械的又は他の形で接続されてもよい。
【０１５０】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本発明の実施例の目的を実現することができる。
【０１５１】
なお、本発明の各実施例における各機能ユニットは、１つの処理ユニットに集積されていてもよく、各ユニットが単独に物理的に存在していてもよく、２つ又は２つ以上のユニットが１つのユニットに集積されていてもよい。上記の集積ユニットは、ハードウェアの形で実現されてもよいが、ソフトウェア機能ユニットの形で実現されてもよい。
【０１５２】
前記集積ユニットがソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の全部又は一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスク等のプログラムコードを記憶可能な様々な媒体を含む。
【０１５３】
以上は、本発明の具体的な実施形態にすぎず、本発明の範囲はこれらに限定されない。この技術分野の当業者であれば、いずれも本発明に提示された技術範囲内で、様々な等価の修正又は置き換えを容易に想到でき、これらの修正又は置き換えはいずれも本発明の範囲内に含まれる。したがって、本発明の範囲は、特許請求の範囲により示される。
【図１】
2019533929.tif 000003
【図２】
2019533929.tif 000004
【図３】
2019533929.tif 000005
【図４】
2019533929.tif 000006
【図５】
2019533929.tif 000007
【図６】
2019533929.tif 000008
【図７】
2019533929.tif 000009
【手続補正書】
【提出日】令和1年9月25日(2019.9.25)
【手続補正１】
【補正対象書類名】明細書
【補正対象項目名】０１４３
【補正方法】変更
【補正の内容】
【０１４３】
図７は、本発明の別の実施例に提供された端末機器の構造を示しており、この端末機器は、少なくとも１つのプロセッサー７０２（例えばＣＰＵ）と、少なくとも１つのネットワークインターフェース７０５又は他の通信インターフェースと、メモリ７０６と、これらのコンポーネントの間の接続通信を実現するための少なくとも１つの通信バス７０３と、を備える。プロセッサー７０２は、メモリ７０６に記憶された実行可能なモジュールを実行するために使用され、例えば、コンピュータプログラムを実行するために使用される。メモリ７０６は、高速ランダムアクセスメモリ（ＲＡＭ：Ｒａｎｄｏｍ  Ａｃｃｅｓｓ  Ｍｅｍｏｒｙ）を含んでもよいが、不揮発性メモリ（ｎｏｎ−ｖｏｌａｔｉｌｅ  ｍｅｍｏｒｙ）をさらに含んでもよく、例えば、少なくとも１つの磁気ディスクメモリを含んでもよい。少なくとも１つのネットワークインターフェース７０５（有線又は無線であってもよい）を介して少なくとも１つの他のネットワーク要素との通信接続を実現する。
【手続補正２】
【補正対象書類名】特許請求の範囲
【補正対象項目名】全文
【補正方法】変更
【補正の内容】
【特許請求の範囲】
【請求項１】
ネットワーク機器に上り信号を送信するステップと、
端末機器の情報に関連付けられている第１のリソースを介して、前記上り信号に対する前記ネットワーク機器からのフィードバック情報を検出するステップと、を含む
ことを特徴とする情報伝送方法。
【請求項２】
前記ネットワーク機器に上り信号を送信するステップは、
スケジューリングなしの方式で、前記端末機器により決定されたリソースで前記上り信号を送信するステップを含む
ことを特徴とする請求項１に記載の情報伝送方法。
【請求項３】
前記端末機器の識別情報により前記第１のリソースを決定するステップをさらに含む
ことを特徴とする請求項１又は２に記載の情報伝送方法。
【請求項４】
前記端末機器の識別情報及び前記上り信号を伝送する開始リソースと、確認情報が事前設定されたリソースプールの初期リソースと、のうちの少なくとも１項により前記第１のリソースを決定するステップをさらに含む
ことを特徴とする請求項１又は２に記載の情報伝送方法。
【請求項５】
ｐ＝Ｋ＋（ｍ＋ＩＤ）ｍｏｄ（Ｌ）
により前記第１のリソースを決定するステップをさらに含み、
ここで、ｐは、前記第１のリソースのポインタ情報を示し、Ｋは、確認情報が事前設定されたリソースプールの初期リソースの情報を示し、ｍは、前記上り信号を伝送する開始リソースの情報を示し、ＩＤは、前記端末機器の識別情報を示し、Ｌは、前記確認情報が事前設定されたリソースプールの大きさを示す
ことを特徴とする請求項１に記載の情報伝送方法。
【請求項６】
前記端末機器の識別情報は、前記端末機器の無線ネットワークテンポラリ識別子ＲＮＴＩ又は事前設定された識別子を含む
ことを特徴とする請求項３〜５のいずれか１項に記載の情報伝送方法。
【請求項７】
前記フィードバック情報は、前記上り信号の受信を示す確認情報を含み、
前記第１のリソースを介して、前記上り信号に対する前記ネットワーク機器からの前記フィードバック情報を検出するステップは、
前記第１のリソースを介して、前記上り信号に対する前記ネットワーク機器からの第１のビットを検出するステップをさらに含み、
ここで、前記第１のビットの値は前記確認情報を指示する
ことを特徴とする請求項１〜６のいずれか１項に記載の情報伝送方法。
【請求項８】
前記第１のリソースは第１のシーケンスであり、前記第１のシーケンスの取り得る値は前記端末機器の情報に関連付けられており、
前記フィードバック情報は、前記上り信号の受信を示す確認情報を含み、
前記第１のリソースを介して、前記上り信号に対する前記ネットワーク機器からの前記フィードバック情報を検出するステップは、
前記上り信号に対する前記ネットワーク機器からの前記第１のシーケンスを検出するステップをさらに含み、
ここで、前記第１のシーケンスは前記確認情報を指示する
ことを特徴とする請求項１〜６のいずれか１項に記載の情報伝送方法。
【請求項９】
前記フィードバック情報は、前記上り信号の受信に失敗したことを示す否認情報を含み、
前記フィードバック情報を検出するステップは、
前記第１のリソースを介して、前記ネットワーク機器からの前記否認情報を検出するステップをさらに含む
ことを特徴とする請求項１〜８のいずれか１項に記載の情報伝送方法。
【請求項１０】
前記第１のリソースを介して、前記ネットワーク機器からの前記否認情報を検出するステップは、
前記第１のリソースを介して、前記ネットワーク機器からの第２のビットを検出するステップをさらに含み、
ここで、前記第２のビットの値は前記否認情報を指示する
ことを特徴とする請求項９に記載の情報伝送方法。
【請求項１１】
命令を記憶するように構成されたメモリと、
前記メモリに記憶された命令を実行するように構成されたプロセッサとを備え、
前記プロセッサは、前記命令が実行されるとき、請求項１〜１０のいずれか１項に記載の情報伝送方法を実行するように構成されている
ことを特徴とする記載の端末機器。
【請求項１２】
端末機器が送信した上り信号を検出するステップと、
前記上り信号が検出された場合、前記端末機器の情報に関連付けられている第１のリソースを介して前記端末機器に確認情報を送信するステップと、を含む
ことを特徴とする情報伝送方法。
【請求項１３】
前記上り信号は、スケジューリングなしの方式で送信される
ことを特徴とする請求項１２に記載の情報伝送方法。
【請求項１４】
前記端末機器の識別情報により前記第１のリソースを決定するステップをさらに含む
ことを特徴とする請求項１２又は１３に記載の情報伝送方法。
【請求項１５】
命令を記憶するように構成されたメモリと、
前記メモリに記憶された命令を実行するように構成されたプロセッサとを備え、
前記プロセッサは、前記命令が実行されるとき、請求項１２〜１４のいずれか１項に記載の情報伝送方法を実行するように構成されている
ことを特徴とする記載のネットワーク機器。
【国際調査報告】
2019533929.tif 000010
2019533929.tif 000011
2019533929.tif 000012
2019533929.tif 000013